(57)【要約】【課題】調理の際に生じる水や調理器具等の熱等によっても傷み難い調理兼用ダイニングテーブルを提供することを目的とする。【解決手段】台板部材１２の上面に甲板部材１４を積重させるようにして台部１０を形成した。さらに、この甲板部材１４には、アクリル系樹脂を用いた人造大理石を用いた。従って、甲板部材１４の上面において水や熱に曝されるような調理を行っても台に傷が付いたり水気が浸透したり熱に曝されて損傷を受けることのないテーブルを提供することができる。さらに、この甲板部材１４は、弾性接着剤１６ａおよび両面接着材１６ｂを用いて台板部材１２の上面に固定されているので、台板部材１２と甲板部材１４との間に水が侵入して甲板部材１４に対する接着力が低下することを防ぎ、甲板部材１４に対して外部から衝撃が加えられてもその衝撃を吸収して甲板部材１４が損傷を受けることを防止している。【選択図】  図４
2004154455.tif 000002
【特許請求の範囲】
【請求項１】
平板部材と、同平板部材の一方の面に設けられた脚部とからなる調理兼用ダイニングテーブルであって、
上記平板部材は、所定の厚みを有する板材にて形成されるとともに一方の面に上記脚部が固定されている台板部材と、
人造大理石にて形成されるとともに上記台板部材の上記脚部が配設されている面の反対側に所定の接着部材を用いて張り合わせられた甲板部材とを有することを特徴とする調理兼用ダイニングテーブル。
【請求項２】
上記甲板部材が、アクリル系樹脂またはポリエステル系樹脂のいずれかを用いて形成されていることを特徴とする請求項１に記載の調理兼用ダイニングテーブル。
【請求項３】
上記接着部材には、弾性接着剤と両面接着材とが用いられていることを特徴とする請求項１または請求項２のいずれかに記載の調理兼用ダイニングテーブル。
【請求項４】
上記弾性接着剤は、上記台板部材の上記甲板部材と張り合わせられる面の外周の全周を取り巻くように設けられ、上記両面接着材は、同弾性接着剤の内周に設けられていることを特徴とする請求項３に記載の調理兼用ダイニングテーブル。
【請求項５】
上記脚部は、略柱状を呈する柱状部材と、
上記柱状部材を上記台板部材へ固定するための略円盤状を呈するフランジ部材とを有し、
上記フランジ部材に固定される上記柱状部材の軸心が同フランジ部材の中心から偏心した位置に設けられるとともに同柱状部材の軸心が同台板部材の外周端側に配設されていることを特徴とする請求項１〜請求項４のいずれかに記載の調理兼用ダイニングテーブル。
【発明の詳細な説明】
【０００１】
【発明の属する技術分野】
本発明は、食卓としてのダイニングテーブルに関し、特に、調理を行うことにも適した構成を有するダイニングテーブルに関する。
【０００２】
【従来の技術】
従来、食卓として用いられているダイニングテーブル１は、メインテーブル２０と、メインテーブル２０の天板２１と同一の高さの天板３１を有するサブテーブル３０と、メインテーブル２０とサブテーブル３０との天板端縁を相互に突合わせた状態で分離可能に固定する固定手段４０とを備え、さらに、サブテーブル３０の脚部３２下端に移動用部材５０を備えているものがある。（例えば、特許文献参照。）。
【０００３】
【特許文献】
特開２００１−３１４２４３号公報（第２頁、第１図）
【０００４】
【発明が解決しようとする課題】
しかしながら、従来のダイニングテーブルにおいては、甲板に化粧合板等が用いられているので、その板上で調理を行う場合には、調理の際に生じる水や調理器具等の熱によって表面のコーティングが傷み易く、気軽に調理を行うことができない。
【０００５】
本発明は、上記の課題に鑑みてなされたものであって、調理の際に生じる水や調理器具等の熱等によっても傷み難い調理兼用ダイニングテーブルを提供することを目的とする。
【０００６】
【課題を解決するための手段】
上記目的を達成するため、請求項１にかかる発明は、平板部材と、同平板部材の一方の面に設けられた脚部とからなる調理兼用ダイニングテーブルであって、上記平板部材は、所定の厚みを有する板材にて形成されるとともに一方の面に上記脚部が固定されている台板部材と、人造大理石にて形成されるとともに上記台板部材の上記脚部が配設されている面の反対側に所定の接着部材を用いて張り合わせられた甲板部材とを有する構成としてある。
上記のように構成した請求項１にかかる発明においては、テーブルの台板部材上に人造大理石製の甲板部材を設ける。ここで、このテーブル上で調理等を行う場合には、甲板部材の表面に調理の際に生じる水がこぼれてしまったり、不用意に高温のフライパン等の調理器具が載置されてしまったりする場合がある。しかし、甲板部材はキッチンのカウンター等にも使用される人造大理石にて形成されているので、表面に水がこぼれたり、高温の調理器具等が載置されたりした場合であっても表面が傷み難く、気軽に調理等にも利用することができる。
【０００７】
また、請求項２にかかる発明は、上記甲板部材が、アクリル系樹脂またはポリエステル系樹脂のいずれかを用いて形成されている構成としてある。
上記のように構成した請求項２にかかる発明においては、甲板部材をアクリル系樹脂またはポリエステル系樹脂にて形成する。アクリル系樹脂またはポリエステル系樹脂にて形成された甲板部材は表面が硬いので、傷つき難く変形し難くい。さらに、表面が滑らかであるので、卓上が汚れても拭くだけで汚れを取り除くことができる。
これにより、甲板部材の表面が水や熱に曝されても傷み難くすることができるとともに卓上を拭くだけで綺麗にすることができる。
【０００８】
さらに、請求項３にかかる発明は、上記接着部材には、弾性接着剤と両面接着材とが用いられている構成としてある。
上記のように構成した請求項３にかかる発明においては、甲板部材を台板部材に固定するための接着部材に弾性接着剤と両面接着材とを用いる。弾性接着剤には、シリコーンポリマー系弾性接着剤が用いられており、硬化後も所定の弾性を有しているので、調理等の作業を行ったり食事をする際に甲板部材に加わる圧力を吸収している。両面接着材には、高強度両面テープが用いられており、強力な接着状態を形成しているので、台板部材に対して甲板部材を確実に接着させている。
これにより、甲板部材の外圧に対する強度を高めることができるとともに、甲板部材を台板部材に対して確実に固定させることができる。
【０００９】
さらに、請求項４にかかる発明は、上記弾性接着剤は、上記台板部材の上記甲板部材と張り合わせられる面の外周の全周を取り巻くように設けられ、上記両面接着材は、同弾性接着剤の内周に設けられている構成としてある。
上記のように構成した請求項４にかかる発明においては、弾性接着剤を台板部材の甲板部材と張り合わせられる面の外周の全周を取り巻くように設ける。また、両面接着材を弾性接着剤の内周に設ける。
【００１０】
弾性接着剤には、シリコーンポリマー系弾性接着剤が用いられており、硬化後もある程度の弾性を有しているので、甲板部材上で調理等を行う場合に甲板部材にかかる衝撃や圧力を吸収している。さらに、弾性接着剤は、台板部材と甲板部材との接触面において外周を取り巻くように設けられているので、甲板部材上で調理する際に生じる水が甲板部材と台板部材との間に侵入することを確実に防ぐとともに、両面接着材の接着力が水等で低下することを防止している。
これにより、甲板部材にかかる衝撃や圧力を吸収でき、甲板部材から流れ落ちた水が甲板部材と台板部材との間に進入することを防止することができる。
【００１１】
さらに、請求項５にかかる発明は、上記脚部は、略柱状を呈する柱状部材と、上記柱状部材を上記台板部材へ固定するための略円盤状を呈するフランジ部材と、を有し、上記フランジ部材に固定される上記柱状部材の軸心が同フランジ部材の中心から偏心した位置に設けられるとともに同柱状部材の軸心が同台板部材の外周端側に配設されている構成としてある。
上記のように構成した請求項５にかかる発明においては、脚部の柱状部材の一端に略円盤状を呈するフランジ部材を設ける。そして、このフランジ部材の柱状部材を取り付ける軸心が偏心した位置となるように設ける。そして、脚部の固定されている軸心が台部の外周端側に来るように固定する。これにより、台部を安定して支持している。
これにより、調理兼用ダイニングテーブルの安定性を向上させることができる。
【００１２】
【発明の効果】
以上説明したように本発明は、甲板部材の表面が水や熱に曝されても傷み難くすることが可能な調理兼用ダイニングテーブルを提供することができる。
また、請求項２にかかる発明によれば、甲板部材の表面が水や熱に曝されても傷み難くすることができるとともに卓上を拭くだけで綺麗にすることができる。さらに、請求項３にかかる発明によれば、甲板部材の外圧に対する強度を高めることができるとともに、甲板部材を台板部材に対して確実に固定させることができる。
さらに、請求項４にかかる発明によれば、甲板部材にかかる衝撃や圧力を吸収でき、甲板部材から流れ落ちた水が甲板部材と台板部材との間に進入することを防止することができる。
さらに、請求項５にかかる発明によれば、調理兼用ダイニングテーブルの安定性を向上させることができる。
【００１３】
【発明の実施の形態】
ここでは、下記の順序に従って本発明の実施形態を説明する。
（１）調理兼用ダイニングテーブルの概要：
（２）調理兼用ダイニングテーブルの説明：
【００１４】
（１）調理兼用ダイニングテーブルの概要：
本発明に基づく第１実施例としての調理兼用ダイニングテーブルＴ１の概要について、図面を利用して説明する。
図１は、本発明にかかる調理兼用ダイニングテーブルＴ１の概略的な構成を示す全体斜視図である。
同図において、調理兼用ダイニングテーブルＴ１は、台部１０と、脚部２０とから設けられている。
なお、本実施例の説明に際して、台部１０の平坦面を基準として台部１０の脚部２０が取り付けられている側とは反対側を上面とし、脚部２０が取り付けられている側を下面とすることとする。
【００１５】
（２）調理兼用ダイニングテーブルの説明：
台部１０は、図１に示すように、２層の異なる材質の板部材が積重され、長手方向の一方に偏心した平面視略卵型形状外形を呈する平板部材にて形成されている。
図２は、調理兼用ダイニングテーブルＴ１の側面図である。
同図において、この台部１０の下面側には、台板部材１２が設けられており、この台板部材１２の上面側には、甲板部材１４が設けられている。
台板部材１２は、平板状を呈する木製合板等にて形成されている。また、この台板部材１２は、長手方向の一方に偏心した平面視略卵型形状を呈しており、厚みは、全体的に、おおむね３０ｍｍ前後となるように形成されている。
【００１６】
図３は、調理兼用ダイニングテーブルの要部の構成を示す図であって、Ｘ１−Ｘ１矢視線（図１参照）より視認した矢視断面図である。
同図において、この台板部材１２の所定の複数箇所（図１参照）、すなわち、台板部材１２の外周端付近の互いに所定の間隔をおいた４箇所には、固定具Ｆを螺着させるための取付孔１２ａがそれぞれ４箇所ずつ設けられている。この取付孔１２ａは、仮想の軸心を中心として所定半径の円上であって、この円を４半円に分割した分割線との交点付近に設けられている。
さらに、台板部材１２には、取付孔１２ａの形成されている付近の下面に、後述するフランジ部材２４を台板部材１２の下面と面一となるように取り付けるためにフランジ部材２４の外形と同様の形状に切り欠き加工が施されている。
【００１７】
甲板部材１４は、台板部材１２よりも若干薄めに形成された平板部材にて形成されている。すなわち、本実施例に用いられる甲板部材１４の厚みは、おおむね１２ｍｍ前後に形成されているのが好ましい。これは、調理兼用ダイニングテーブルＴ１を調理に使用する際に、甲板部材１４にかかる衝撃に十分に耐えることができるとともに、外観的に軽快感を得るのに好適な厚みである。
【００１８】
また、本実施例に用いられる甲板部材１４の外形は、おおむね９００ｍｍ×１５００ｍｍ前後の大きさに形成されているが、これは、４人掛けの場合の一例である。従って、甲板部材１４の外形寸法は、使用人数等の使用状況等に応じて適宜調整されるのが好ましい。さらに、甲板部材１４の外形形状は、長手方向の一方に偏心した平面視略卵型形状を呈しているが、円形状あるいは多角形状等、使用する場所等の使用状況に応じて適宜変形させてもよい。
【００１９】
また、台板部材１２は、甲板部材１４の外形形状とおおむね同様の形状に形成されている。すなわち、この台板部材１２は、甲板部材１４と重ね合わせると、互いの外形形状が略一致するように形成されている。なお、甲板部材１４の外形寸法や外形形状を変更する場合には、台部１０の安定性を考慮して台板部材１２の外形もそれに合わせて変形させるのが望ましい。
【００２０】
この甲板部材１４は、注型成形法によって成形されたアクリル樹脂製のいわゆる人造大理石により形成されている。
【００２１】
なお、本実施例の場合、甲板部材１４の表面は、研磨処理によるつや消し処理や鏡面処理が施されていてもよい。また、表面処理を施した上に、さらに、シリコン樹脂等を塗布してもよい。こうすることにより、甲板部材１４の見栄えがよくなるとともに甲板部材１４の耐久性を向上させることが可能となる。
【００２２】
ここで、甲板部材１４は、上記のとおり、人造大理石により形成されているので、全体的に硬質で傷つき難く、水や熱に対しても強いので、耐久性の高い甲板部材１４を得ることができる。従って、甲板部材１４上で調理して水や熱に曝されても、傷が付いたり部材中に水が浸透したり、熱で甲板部材１４が浮き上がったり変形するようなことはない。
【００２３】
図４は、調理兼用ダイニングテーブルＴ１の要部の構成を示す分解斜視図である。
同図において、台板部材１２の上面には、台板部材１２の外周の全周に沿って弾性接着剤１６ａが塗布されている。この弾性接着剤１６ａが外周の全周に沿って塗布されるのは、台板部材１２と甲板部材１４との間に設けられた隙間に水等が侵入して接着部材１６の接着力が低下することを防止するためである。
また、台板部材１２の上面であって、弾性接着材１６ａの塗布されている位置よりも内周側には、複数列の両面接着材１６ｂが貼設されている。
【００２４】
弾性接着剤１６ａには、シリコーンポリマー系弾性接着剤等が用いられている。すなわち、弾性接着剤１６ａは、硬化後も所定の弾性を有するとともに、台板部材１２と甲板部材１４との間を確実に密着させることが可能な材質にて形成されている。これにより、弾性接着剤１６ａは、台板部材１２と甲板部材１４とを弾性的に接着することで、甲板部材１４にかかる外部からの衝撃を吸収する機能も有している。
【００２５】
また、両面接着材１６ｂには、高強度両面テープが用いられている。この両面接着材１６ｂは、台板部材１２と甲板部材１４とを確実に接着させるために設けられている。
【００２６】
ここで、図４に示すように、台板部材１２の上面に台板部材１２の外周と一致するように甲板部材１４を張り合わせることにより台部１０が形成される。この際、台板部材１２と甲板部材１４は、両面接着剤１６ｂによって互いに接着されているとともに、弾性接着剤１６ａが所定の時間が経過するにつれて台板部材１２と甲板部材１４とに密着することで完全に接着された状態となる。
【００２７】
図５は、調理兼用ダイニングテーブルＴ１の要部の構成を示す図であって、下方より視認した斜視図である。
同図において、脚部２０は、柱状部材２２と、フランジ部材２４とから形成されている。
ここで、本実施例においては、脚部２０として、第１柱状部材２２ａ、第２柱状部材２２ｂ、第３柱状部材２２ｃ、第４柱状部材２２ｄの計４本の柱状部材２２から構成されている。これら第１柱状部材２２ａ〜第４柱状部材２２ｄは、柱状部材２２とフランジ部材２４の構成はおおむね同様であるので、これらの詳細な構成については、以下、第１柱状部材２２ａを例にして説明することとする。
【００２８】
第１柱状部材２２ａは、略円筒状を呈するクロムメッキ等の金属材にて形成されている。また、この第１柱状部材２２ａの直径は、おおむね５０ｍｍ前後に形成され、長手方向の長さは、調理兼用ダイニングテーブルＴ１を、使用者が直立した状態で調理したり着席して食卓として利用する際に好適な高さとなるように形成されている。すなわち、この第１柱状部材２２ａの長手方向の長さは、おおむね６００ｍｍ前後となるように形成されている。
【００２９】
また、この第１柱状部材２２ａの上端には、第１フランジ部材２４ａが一体に設けられている。この第１フランジ部材２４ａは、第１柱状部材２２ａと同様に、クロムメッキ等の金属材にて形成されている。さらに、この第１フランジ部材２４ａは、所定の厚みを有する略円盤状に形成されている。また、その円盤の外周付近の所定位置には、第１フランジ部材２４ａを台部１０側へ固定するための所定の固定具Ｆを挿通するための孔部２５が形成されている。
【００３０】
ここで、第１フランジ部材２４ａに固定されている第１柱状部材２２ａの軸心は、円盤の中心から外れて若干偏心した位置に設けられている。すなわち、脚部２０を構成している第１柱状部材２２ａ〜第４柱状部材２２ｄのすべては、フランジ部材２４の偏心した軸心が、台部１０の外周側にくるようにして取り付けられている。これは、台部１０の安定性を向上させるとともに見栄えをよくすることに貢献している。
【００３１】
さらに、第１柱状部材２２ａの自由端には、第１高さ調整部材２６ａ（図３参照）が設けられている。すなわち、第１柱状部材２２ａには、第１高さ調整部材２６ａが配設され、第２柱状部材２２ｂには、第２高さ調整部材２６ｂが配設されている。この第１高さ調整部材２６ａ及び第２高さ調整部材２６ｂは、第１柱状部材２２ａ及び第２柱状部材２２ｂに対して螺着されており、これを適宜回転させることにより柱状部材の長さを微調節することができるようになっている。
【００３２】
第１高さ調整部材２６ａ及び第２高さ調整部材２６ｂは、調理兼用ダイニングテーブルＴ１を高さの異なる床面において使用する場合等において、脚部２０の各柱状部材の高さの微調整を行うことで調理兼用ダイニングテーブルＴ１の使用時の安定性を向上させるために設けられている。
【００３３】
また、第３柱状部材２２ｃの自由端には、第１高さ調整部材２６ａの代わりに第１キャスター部材２８ａ（図３参照）が設けられている。また、第４柱状部材２２ｄにも同様に、第２キャスター部材２８ｂが配設されている。この第１キャスター部材２８ａ及び第２キャスター部材２８ｂは、第３柱状部材２２ｃ及び第４柱状部材２２ｄに対して螺着されており、柱状部材に固定された支持部材（図示省略）に回転自在の車輪（図示省略）を配設した構造を有している。
【００３４】
第１キャスター部材２８ａ及び第２キャスター部材２８ｂは、調理兼用ダイニングテーブルＴ１を容易に移動させるために設けられている。すなわち、この第１キャスター部材２８ａと第２キャスター部材２８ｂとは、台部１０の偏心している側を支持する第３柱状部材２２ｃと第４柱状部材２２ｄとにそれぞれ配設してある。
【００３５】
ここで、調理兼用ダイニングテーブルＴ１を移動させるには、第１柱状部材２２ａと第２柱状部材２２ｂとが配設されている側の台部１０を持ち上げる。この時、台部１０の第３柱状部材２２ｃ及び第４柱状部材２２ｄが配設されている側は偏心してあるので、台部１０の重心が第３柱状部材２２ｃや第４柱状部材２２ｄの設けられている側にある。従って、第１柱状部材２２ａ及び第２柱状部材２２ｂの設けられている側が容易に持ち上げられるようになっている。
【００３６】
こうして、第１柱状部材２２ａ及び第２柱状部材２２ｂが設けられている側を持ち上げると、調理兼用ダイニングテーブルＴ１が床面に接触しているのは第１キャスター２８ａ及び第２キャスター部材２８ｂのみとなり、調理兼用ダイニングテーブルＴ１を一人でも自由に移動させることが可能となる。
【００３７】
なお、第１柱状部材２２ａ〜第４柱状部材２２ｂには、第１高さ調整部材２６ａや第１キャスター部材２８ａ等の異なる部材が配設されているが、それぞれの全長は、おおむね同一の長さに形成されている。
【図面の簡単な説明】
【図１】本発明にかかる調理兼用ダイニングテーブルＴ１の概略的な構成を示す全体斜視図である。
【図２】本発明にかかる調理兼用ダイニングテーブルＴ１の側面図である。
【図３】本発明にかかる調理兼用ダイニングテーブルＴ１の要部の構成を示す図であって、Ｘ１−Ｘ１矢視線（図１参照）より視認した矢視断面図である。
【図４】本発明にかかる調理兼用ダイニングテーブルＴ１の要部の構成を示す分解斜視図である。
【図５】本発明にかかる調理兼用ダイニングテーブルＴ１の要部の構成を示す図であって、下方より視認した斜視図である。
【符号の説明】
Ｔ１…調理兼用ダイニングテーブル
１０…台部
１２…台板部材
１４…甲板部材
１６…接着部材
１６ａ…弾性接着剤
１６ｂ…両面接着材
２０…脚部
２２…柱状部材
２４…フランジ部材
【図１】
2004154455.tif 000003
【図２】
2004154455.tif 000004
【図３】
2004154455.tif 000005
【図４】
2004154455.tif 000006
【図５】
2004154455.tif 000007